(57)【要約】【課題】内容器の取り替え作業を容易に行うことができるとともに、外装容器と内容器とを確実に固定できる二重容器を提供する。【解決手段】固定筒部１１を有する外装容器１０と、固定筒部１１を通じて外装容器１０内に収容される内容器２０と、固定筒部１１に被着されるカバー部５０と、を備えた二重容器１であって、内容器２０には、固定筒部１１に嵌合される嵌入筒部２３が設けられ、嵌入筒部２３の一部には、外周側に向けて突出する係合爪部２８を備えるとともに内周側に向けて折り曲がるように弾性変形可能なベンド部２７が形成されており、固定筒部１１の内周面には、係合爪部２８と係合可能な係止部１２が形成され、カバー部５０には、内容器２０を収容した状態で外装容器１０の固定筒部１１に被着された際に、ベンド部２７の内周側に位置してベンド部２７の前記弾性変形を規制する規制壁５３が設けられていることを特徴とする。【選択図】図１
2008087768.tif 000002
【特許請求の範囲】
【請求項１】
固定筒部を有する外装容器と、この固定筒部を通じて前記外装容器内に収容される内容器と、前記固定筒部に被着されるカバー部と、を備えた二重容器であって、
前記内容器には、前記固定筒部に嵌合される嵌入筒部が設けられ、該嵌入筒部の一部に、外周側に向けて突出する係合爪部を備えるとともに内周側に向けて折り曲がるように弾性変形可能なベンド部が形成されており、
前記固定筒部の内周面には、前記係合爪部と係合可能な係止部が形成され、前記係合爪部と前記係止部とが互いに係合することで、前記内容器が前記外装容器内に固定される構成とされており、
前記カバー部には、前記内容器を収容した前記外装容器の固定筒部に被着された際に、前記ベンド部の内周側に位置して前記ベンド部の前記弾性変形を規制する規制壁が設けられていることを特徴とする二重容器。
【請求項２】
請求項１に記載の二重容器において、
前記固定筒部の内周面及び前記嵌入筒部の外周面の一方には、前記嵌入筒部の嵌入方向に沿って延びるリブ部が形成され、前記固定筒部の内周面及び前記嵌入筒部の外周面の他方には、前記リブ部と嵌合可能な溝部が形成されていることを特徴とする二重容器。
【請求項３】
請求項１又は請求項２に記載の二重容器において、
前記嵌入筒部には、一対の前記ベンド部が周方向において互いに対向する位置に設けられ、前記固定筒部には、一対の前記ベンド部の前記係合爪部と係合可能な一対の前記係止部が周方向において互いに対向する位置に設けられていることを特徴とする二重容器。
【発明の詳細な説明】
【技術分野】
【０００１】
本発明は、外装容器と、この外装容器の中に取り替え自在に収容される内容器とを備えた二重容器に関するものである。
【背景技術】
【０００２】
この種の二重容器として、例えば特許文献１に示されるように、内容物が充填された内容器と、この内容器が開口部から内部に収容される外装容器と、を備えたものが提案されている。ここで、前記内容器には上方に突出する取出筒部が備えられていて、この取出筒部に吐出口やポンプ等の吐出部材を装着して、この吐出部材を介して内容物を取り出すように構成されている。
この構成の二重容器においては、内容器に充填されていた内容物を使い切ったときには、内容物が充填されている新たな内容器に取り替えることにより、外装容器を再利用することができる。
【特許文献１】特開２００４−３０７０４８号公報
【発明の開示】
【発明が解決しようとする課題】
【０００３】
ところで、特許文献１に記載された二重容器においては、外装容器の内周面に雌ネジ部が設けられるとともに内容器の外周面に雄ネジ部が形成され、内容器と外装容器とを相対的に回転させることで内容器を外装容器に固定する構成とされているので、内容器の取替え作業が消費者にとって煩わしいものであった。また、内容器を外装容器内で回転させる必要があり、内容器の断面形状が制限されてしまう。詳述すると、内容器は、外装容器の断面の内接円よりも小さな半径の外接円を有する断面形状とする必要があるため、内容器の収容量を考慮した場合には、内容器及び外装容器を断面円形とせざるを得ず、外装容器及び内容器を自由にデザインすることができない。
【０００４】
また、内容物が充填されている新たな内容器には、通常、前記取出筒部を閉塞する保護キャップが螺着されている。特許文献１に記載された二重容器において、外装容器内に内容器を収容した状態で保護キャップを取り外す場合には、保護キャップを回転させた際に外装容器と内容器とが相対的に回転してしまい、外装容器と内容器との固定が緩んでしまうおそれがあった。
【０００５】
本発明は、前述した事情に鑑みてなされたものであって、内容器の取り替え作業を容易に行うことができるとともに、外装容器と内容器とを確実に固定できる二重容器を提供することを目的とする。
【課題を解決するための手段】
【０００６】
この課題を解決するために、本発明の二重容器は、固定筒部を有する外装容器と、この固定筒部を通じて前記外装容器内に収容される内容器と、前記固定筒部に被着されるカバー部と、を備えた二重容器であって、前記内容器には、前記固定筒部に嵌合される嵌入筒部が設けられ、該嵌入筒部の一部に、外周側に向けて突出する係合爪部を備えるとともに内周側に向けて折り曲がるように弾性変形可能なベンド部が形成されており、前記固定筒部の内周面には、前記係合爪部と係合可能な係止部が形成され、前記係合爪部と前記係止部とが互いに係合することで、前記内容器が前記外装容器内に固定される構成とされており、前記カバー部には、前記内容器を収容した前記外装容器の固定筒部に被着された際に、前記ベンド部の内周側に位置して前記ベンド部の前記弾性変形を規制する規制壁が設けられていることを特徴としている。
【０００７】
この構成の二重容器においては、内容器を、固定筒部を通じて外装容器内に挿入して前記固定筒部と前記嵌入筒部とを嵌合させるとともにベンド部の係合爪部と固定筒部の係止部とを互いに係合させることにより、内容器を外装容器内に収容して固定することができるので、内容器の収容作業を簡単に、かつ、確実に行うことができる。一方、内容器を取り出す場合には、ベンド部を内周側に折り曲げるように弾性変形させることで前記係止部と前記係合爪部との係合を解除できるので、内容器の取り外し作業を簡単に行うことができる。したがって、内容器の取替え作業を容易に、かつ、確実に行うことができる。
さらに、前記内容器を収容した前記外装容器にカバー部が被着されており、該カバー部に前記ベンド部の前記弾性変形を規制する規制壁が設けられているので、内容器を外装容器に収容した状態で使用する際に、ベンド部が内周側に折り曲がるように弾性変形して係合爪部と係止部との係合が解除されることがなく、外装容器と内容器とを確実に固定することができる。
【０００８】
また、内容器と外装容器とを相対的に回転させて固定する構成とされていないので、内容器を外装容器内で回転させる必要がなく、外装容器及び内容器に対するデザイン上の制限が少ない。
【０００９】
ここで、前記固定筒部の内周面及び前記嵌入筒部の外周面の一方に、前記嵌入筒部の嵌入方向に沿って延びるリブ部を形成し、前記固定筒部の内周面及び前記嵌入筒部の外周面の他方に、前記リブ部と嵌合可能な溝部を形成してもよい。
この場合、例えば固定筒部及び嵌入筒部が断面円形に形成されていても、前記リブと前記溝部との嵌合により、これら固定筒部及び嵌入筒部の相対的な回転を防止することができる。したがって、前記内容器を収容した状態で保護キャップを取り外すために回転させた場合でも、内容器と外装容器との固定が緩むことがない。
【００１０】
また、前記嵌入筒部に、一対の前記ベンド部を周方向において互いに対向する位置に設け、前記固定筒部に、一対の前記ベンド部の前記係合爪部と係合可能な一対の前記係止部を周方向において互いに対向する位置に設けてもよい。
この場合、係合爪部と係止部とが係合した部分が、周方向の互いに対向する位置にそれぞれ配置されることになり、内容器と外装容器とをさらに確実に固定することができる。しかも、これら一対のベンド部を２つの指で挟むように操作することでそれぞれ内周側に折り曲げるように弾性変形させて係合爪部と係止部との係合を解除できるので、内容器の取り外しをさらに容易に、かつ、確実に行うことができる。
【発明の効果】
【００１１】
本発明に係る二重容器によれば、ベンド部の係合爪部と固定筒部の係止部とを係合させることで外装容器と内容器とを固定しているので、外装容器と内容器とを相対的に回転させて固定する必要がなく、内容器の取り替え作業を容易に行うことができる。また、規制壁によってベンド部の弾性変形が防止され、使用中に係合爪部と係止部との係合が解除されることがなく、外装容器と内容器とを確実に固定できる。
【発明を実施するための最良の形態】
【００１２】
以下に、本発明の実施形態について添付した図面を参照にして説明する。図１から図４  に、本発明の実施形態である二重容器を示す。
本実施形態である二重容器１は、固定筒部１１を有する外装容器１０と、この外装容器１０の中に収容される内容器２０と、前記固定筒部１１に被着されるカバー部５０を有する吐出ユニット４０と、を備えている。
【００１３】
外装容器１０は、軸線Ｌに沿って延びる有底円筒状をなしており、その上端部分は、外径が一段小径とされた固定筒部１１とされている。
この固定筒部１１の内周面には、外周側に向けて一段凹んだ係止凹部１２が形成されている。本実施形態では、固定筒部１１に一対の係止凹部１２が設けられており、これら一対の係止凹部１２が断面円形をなす固定筒部１１の軸線Ｌを挟んで対向する位置にそれぞれ配置されている。また、この固定筒部１１の内周面には、軸線Ｌに平行に延びる複数の溝部１３が形成されている。
【００１４】
この外装容器１０の中に取り替え可能に収容される内容器２０は、上方に向けて開口する容器本体２１と、この容器本体２１の上端部に配置されたリング部２２とを備えている。リング部２２の外周端部分には、上方に向けて曲げ起こされて軸線Ｍと平行に延びる嵌入筒部２３が形成されている。この嵌入筒部２３の外径は、前記固定筒部１１の内径と略同一径とされている。
嵌入筒部２３の上端部分には、径方向外側に向けて突出して周方向に沿って延びるガイド凸部２４が形成されており、嵌入筒部２３の外周面には、このガイド凸部２４の下端面から軸線Ｍ方向に平行に延びる複数のリブ部２５が形成されている。
【００１５】
そして、嵌入筒部２３には、軸線Ｍ方向に平行に延びる一対のスリット２６、２６によってベンド部２７が画成されている。このベンド部２７は、リング部２２との付け根部分を支点として内周側に向けて折り曲がるように弾性変形可能に構成されている。このベンド部２７には、外周側に向けて突出する係合爪部２８が、周方向に沿って延びるように形成されている。この係合爪部２８は、上方に向かうにしたがい次第に外周側に突出するように傾斜するテーパ部２８Ａを備えている。なお、本実施形態においては、ベンド部２７に、前記ガイド凸部２４と前記係合爪部２８とが互いに平行に延びるように形成されている。
ここで、嵌入筒部２３には、一対のベンド部２７が設けられており、これら一対のベンド部２７が断面円形をなす嵌入筒部２３の周方向において軸線Ｍを挟んで対向する位置にそれぞれ配置されている。
【００１６】
また、前記リング部２２には、その中心部分から上方に向けて軸線Ｍに沿って突出し、外周面に雄ネジが形成された取出筒部２９が設けられている。
なお、この内容器２０は、図２に示すように、前記取出筒部２９の外周面に形成された雄ネジに保護キャップ３０が螺着された状態で保管、流通されるものである。
【００１７】
吐出ユニット４０は、軸線Ｎに沿って延びる多段円筒状をなすユニット本体４１に、前記内容器２０の内容物を外部へ吐出する吐出部としてのポンプ４４が固定されて構成されている。
ユニット本体４１の下方部分が、外装容器１０の固定筒部１１に被着されるカバー部５０とされ、ユニット本体４１の上方部分が、前記内容器２０の取出筒部２９に被着されるキャップ部４２とされている。
【００１８】
キャップ部４２の上端には軸線Ｎに直交するように天面部４２Ａが配置されていて、この天面部４２Ａの軸線Ｎ近傍には装着孔が穿設され、天面部４２Ａの上面には、上方に向けて環状に突出したガイド筒部４３が形成されている。
このキャップ部４２の内周面には、前記取出筒部２９の雄ネジに螺着可能な雌ネジが形成されている。
【００１９】
ポンプ４４は、ポンプ本体４５と、上下動可能に配置されるとともに吐出口４７Ａを備えたポンプヘッド４７と、ポンプ本体４５から下方に向けて延びるパイプ部４８とを有している。また、ポンプ本体４５の上端部には、径方向外側に向けて張り出した鍔部４５Ａが設けられている。なお、この鍔部４５Ａの外径は、前記キャップ部４２の内径と略同一に設定されている。
【００２０】
このポンプ４４は、前記ポンプヘッド４７がキャップ部４２の装着孔から上方に向けて突出してガイド筒部４３の内周側に配置されるとともに、キャップ部４２の天面部４２Ａに前記鍔部４５Ａが密着させられた状態でユニット本体４１に固定される。このように固定されることで、このポンプ４４のパイプ部４８がユニット本体４１の軸線Ｎに沿って延びるように配置され、ポンプヘッド４７はガイド筒部４３に案内されて軸線Ｎ方向に往復移動するように構成される。
【００２１】
なお、本実施形態においては、キャップ部４２の下端側外周面に径方向外側に向けて膨出した膨出部４２Ｂが形成されており、ポンプヘッド４７を保護するためのオーバキャップ４９が、その下端部分を前記膨出部４２Ｂに係合させることで固定されている。
【００２２】
カバー部５０は、外周壁５１と環状天板部５２とを備えており、外周壁５１の内径は、前記固定筒部１１の外径と略同一径とされ、固定筒部１１と摺動可能な構成とされている。また、このカバー部５０には、環状天板部５２から下方に向けてカバー部５０の外周壁５１と平行に延びる規制壁５３が設けられている。規制壁５３と外周壁５１との間には、前記固定筒部１１及び前記嵌入筒部２３に嵌合可能な空間が形成されており、規制壁５３は、内容器２０のベンド部２７の内周側に位置するように構成されている。
【００２３】
次に、この二重容器１において、保護キャップ３０が螺着された内容器２０を外装容器１０内に収容して固定する手順について説明する。まず、内容器２０を、固定筒部１１を通じて外装容器１０内に挿入する。そして、ベンド部２７の係合爪部２８と固定筒部１１の係止凹部１２との周方向位置が一致するように、かつ、リブ部２５と溝部１３とが嵌合するようにして、内容器２０の嵌入筒部２３を外装容器１０の固定筒部１１に嵌入させる。このとき、前記ベンド部２７は、係合爪部２８のテーパ部２８Ａが固定筒部１１の内周面に当接されることにより、内周側に折り曲げられるように弾性変形されつつ、外装容器１０内へと挿入される。係止爪部２８が固定筒部１１の係止凹部１２と相対する位置において、ベンド部２７が弾性復帰して、係合爪部２８が係止凹部１２内に入り込み、係止爪部２８と係止凹部１２とが互いに係合される。
【００２４】
この内容器２０を外装容器１０の中に収容した状態においては、固定筒部１１の上端面に前記嵌入筒部２３のガイド凸部２４が掛止されることによって、内容器２０は外装容器１０内に懸垂状態で固定される。ここで、外装容器１０の軸線Ｌと内容器２０の軸線Ｍとが一致する。
【００２５】
この状態で、取出筒部２９に被着された保護キャップ３０を回動させて取り外し、内容器２０を開封し、吐出ユニット４０を装着する。パイプ部４８が取出筒部２９を通して内容器２０の内部に挿入される。ここで、カバー部５０が固定筒部１１に被着されて固定筒部１１の外周面とカバー部５０の外周壁５１の内周面とが摺動しつつ回動され、前記取出筒部２９の雄ネジにキャップ部４２が螺着される。そして、前記ベンド部２７の内周側に、カバー部５０の規制壁５３が配置される。
【００２６】
次に、内容器２０を外装容器１０から取り外す手順について説明する。まず、吐出ユニット４０を回転させて取り外す。そして、嵌入筒部２３の周方向において対向するように配置された一対のベンド部２７をそれぞれ内周側に向けて折り曲げるように弾性変形させる。これにより、係合爪部２８と係止凹部１２との係合を解除し、内容器２０を外装容器１０から取り出す。
【００２７】
この構成の二重容器１は、オーバキャップ４９を取り外してポンプヘッド４７を押圧することにより、内容器２０の内容物がパイプ部４８を通じて吸い上げられ、吐出口４７Ａから外部へ吐出されて使用される。
【００２８】
本実施形態である二重容器１においては、内容器２０を、固定筒部１１を通じて外装容器１０内に挿入して固定筒部１１と嵌入筒部２３とを嵌合させ、ベンド部２７の係合爪部２８と固定筒部１１の係止凹部１２とを互いに係合させることにより、内容器２０を外装容器１０内に収容して固定することができるので、内容器２０の収容作業を簡単に、かつ、確実に行うことができる。
また、内容器２０を取り外す際には、ベンド部２７を内周側に折り曲げるように弾性変形させて係止凹部１２と係合爪部２８との係合を解除することができるので、内容器２０の取り外し作業を簡単に行うことができる。
【００２９】
さらに、本実施形態では、一対のベンド部２７が嵌入筒部２３の周方向において対向する位置に形成され、固定筒部１１に一対のベンド部２７の係合爪部２８と係合可能な一対の係止凹部１２が形成されているので、内容器２０と外装容器１０とをさらに確実に固定することができる。さらに、一対のベンド部２７を２つの指で挟むように操作することで内周側に折り曲げるように弾性変形させて係合爪部２８と係止凹部１２との係合を解除することができ、内容器２０の取り外しをさらに容易に、かつ、確実に行うことができる。
【００３０】
また、吐出ユニット４０に、固定筒部１１に被着されるカバー部５０が設けられており、このカバー部５０に、ベンド部２７の内周側に位置してベンド部２７の前記弾性変形を規制する規制壁５３が形成されているので、内容器２０を外装容器１０に収容した状態で使用する際に、ベンド部２７の係合爪部２８と固定筒部１１の係止凹部１２との係合が解除されることがなく、内容器２０と外装容器１０とを確実に固定することができる。
【００３１】
また、内容器２０を回転させて外装容器１０に固定する構成とされていないので、内容器２０を外装容器１０内で回転させる必要がなく、外装容器１０及び内容器２０に対するデザイン上の制約が少ない。
【００３２】
さらに、嵌入筒部２３の外周面に、軸線Ｍに沿って延びるリブ部２５が形成され、固定筒部１１の内周面に、このリブ部２５と嵌合可能な溝部１３が形成されているので、内容器２０の取出筒部２９に被着された保護キャップ３０を取り外す際に、断面円形に形成された固定筒部１１と嵌入筒部２３との相対的な回転を防止することができ、保護キャップ３０をスムーズに取り外すことができる。
【００３３】
以上、本発明の実施形態である二重容器１について説明したが、本発明の技術的範囲はこれに限定されることはなく、本発明の技術的思想を逸脱しない範囲で変更可能である。
例えば、ベンド部２７を、平行な２つのスリット２６、２６によって画成したものとして説明したが、これに限定されることはなく、例えば、図５に示すように、ベンド部２７を、軸線Ｍに平行に延びるスリット２６Ａと周方向に沿って延びるスリット２６Ｂとで画成して、周方向の一端を支点として弾性変形可能な構成としてもよい。この場合、嵌入筒部２３の高さを高くしなくても押圧する部分（力点）と支点との距離を大きく取ることが可能となり、小さな力でベンド部２７を弾性変形させることができる。
【００３４】
さらに、固定筒部１１に被着されるカバー部５０と取出筒部２９に被着されるキャップ部４２とが一体に形成されたものとして説明したが、これに限定されることはなく、図６に示すように、カバー部５０とキャップ部４２とを別体に形成してもよい。この場合には、カバー部５０を回転させる必要がなくなるので、カバー部５０、固定筒部１１、嵌入筒部２３を断面円形以外の形状、例えば断面楕円形や断面多角形等の他の形状とすることができ、意匠性を向上させることが可能となる。
また、カバー部５０とキャップ部４２とを別体に形成した場合には、螺合や凹凸の嵌合等によって、カバー部５０を固定筒部１１に固定する構成としてもよい。
【００３５】
また、吐出部としてポンプを備えたもので説明したが、実施形態の構成に限定されることはなく、例えばパイプ部を有さないポンプであっても良いし、さらには、吐出口を有する吐出キャップを被着したものや内容物を噴霧するスプレーや櫛状物に泡を吐出するようなものであってもよい。
さらに、外装容器についても有底円筒状をなすものとして説明したが、これに限定されることはなく、例えば底部を有さない筒状などの任意の形状とすることができる。
【００３６】
また、嵌入筒部の外周面にリブ部を形成するとともに嵌入筒部の外周面に溝部を形成したものとして説明したが、逆に、固定筒部の内周面にリブ部を形成し、嵌入筒部の外周面に溝部を形成してもよい。また、嵌入筒部の外周面及び嵌入筒部の外周面ともにリブ部を形成して、これらリブ部の係合によって回転防止を図ってもよい。
【産業上の利用可能性】
【００３７】
内容器の取り替え作業を容易に行うことができるとともに、外装容器と内容器とを確実に固定できる二重容器を提供することができる。
【図面の簡単な説明】
【００３８】
【図１】本発明の実施形態である二重容器の側面断面説明図である。
【図２】図１に示す二重容器に備えられた内容器の側面断面図である。
【図３】図２に示す内容器に形成されたベンド部の詳細説明図である。
【図４】図１に示す二重容器に備えられた外装容器の側面断面図である。
【図５】本発明の他の例である二重容器に備えられた内容器の側面断面図である。
【図６】本発明の他の例である二重容器の側面断面図である。
【符号の説明】
【００３９】
１  二重容器
１０  外装容器
１１  固定筒部
１２  係止凹部（係止部）
１３  溝部
２０  内容器
２３  嵌入筒部
２５  リブ部
２７  ベンド部
２８  係合爪部
５０  カバー部
５２  規制壁
【図１】
2008087768.tif 000003
【図２】
2008087768.tif 000004
【図３】
2008087768.tif 000005
【図４】
2008087768.tif 000006
【図５】
2008087768.tif 000007
【図６】
2008087768.tif 000008